(57)【要約】【課題】  本発明は、自端ＣＢ投入信号を入力するための受渡し回路を付加せず、構成簡素化すると共に、上述した応答遅れの間には相手端電流の零制御を行わず、系統状態に見合った電流差動保護演算を行う電流差動保護継電装置を提供することを目的としている。【解決手段】  本発明は、送電線の相手端に設置された電流差動保護継電装置から伝送され、相手端に設置された遮断器又は断路器の状態を示す相手端ＣＢＬＳ信号を受信する受信回路と、相手端ＣＢＬＳ信号に基づいて、相手端が休止状態であると判断された場合に、相手端の電流データを零制御する相手端電流データ零制御信号を、１ショット回路を介して演算部に出力する休止端検出回路とを備え、１ショット回路は、相手端電流データ零制御信号を、演算部に事前に設定された一定時間出力を継続し、演算部は１ショット回路が出力を継続する間に電流差動保護演算を行うことを特徴とする。【選択図】図２
2011193608.tif 000002
【特許請求の範囲】
【請求項１】
送電線の相手端に設置された電流差動保護継電装置から伝送され、相手端に設置された遮断器又は断路器の開閉状態を示す相手端ＣＢＬＳ信号を受信する受信回路と、
前記相手端ＣＢＬＳ信号に基づいて、相手端が休止状態であると判断された場合に、相手端の電流データを零制御する相手端電流データ零制御信号を、１ショット回路を介して演算部に出力する休止端検出回路とを備え、
前記１ショット回路は、前記演算部に対する前記相手端電流データ零制御信号の出力を事前に設定された一定時間を継続し、
前記演算部は、前記１ショット回路が前記相手端電流データ零制御信号の出力している間に電流差動保護演算を行うことを特徴とする電流差動保護継電装置。
【請求項２】
送電線の相手端に設置された電流差動保護継電装置から伝送され、相手端に設置された遮断器又は断路器の開閉状態を示す相手端ＣＢＬＳ信号を受信する受信回路と、
前記相手端ＣＢＬＳ信号に基づいて、相手端が休止状態であると判断された場合に、相手端の電流データを零制御する相手端電流データ零制御信号を、出力保持回路を介して演算部に出力する休止端検出回路とを備え、
前記出力保持回路は、外部からの制御条件である外部制御信号が入力されるまで、前記演算部に対する前記相手端制御データ零制御信号の出力を継続し、
前記演算部は、前記出力保持回路が前記相手端制御データ零制御信号の出力している間に電流差動保護演算を行うことを特徴とする電流差動保護継電装置。
【請求項３】
送電線の相手端に設置された電流差動保護継電装置から伝送され、相手端に設置された遮断器又は断路器の開閉状態を示す相手端ＣＢＬＳ信号を受信する受信回路と、
前記相手端ＣＢＬＳ信号に基づいて、相手端が休止状態であると判断された場合に、相手端の電流データを零制御する相手端電流データ零制御信号を、１ショット回路及び出力保持回路を介して演算部に出力する休止端検出回路とを備え、
前記出力保持回路は、１ショット回路が出力を継続しておらず、相手端ＣＢＬＳ信号により相手端に設置された遮断器又は断路器が閉路されている又は、再閉路信号或いは再閉路起動信号が入力されたと判断するまで、前記演算部に対する前記相手端制御データ零制御信号の出力を継続し、
前記演算部は、前記出力保持回路が前記相手端制御データ零制御信号の出力している間に電流差動保護演算を行うことを特徴とする電流差動保護継電装置。
【請求項４】
３相送電線自端の各相に設置された遮断器又は断路器のうち、いずれか１相の遮断器及び断路器が閉路されていることを示す自端ＣＢＬＳ入り信号を出力する自端制御データ送信回路と、
送電線の相手端に設置された電流差動保護継電装置から伝送され、相手端に設置された遮断器又は断路器の状態を示す相手端ＣＢＬＳ信号を受信する受信回路と、
前記相手端ＣＢＬＳ信号に基づいて、相手端が休止状態であると判断された場合に、相手端の電流データを零制御する相手端電流データ零制御信号を、１ショット回路及び出力保持回路を介して演算部に出力する休止端検出回路とを備え、
前記出力保持回路は、１ショット回路が出力を継続しておらず、前記自端ＣＢＬＳ入り信号に基づき、３相送電線自端の各相に設置された遮断器又は断路器のうち、いずれか１相の遮断器及び断路器が閉路されていると判断されるまで、前記演算部に対する前記相手端制御データ零制御信号の出力を継続し、
前記演算部は、前記出力保持回路が前記相手端制御データ零制御信号を出力している間に電流差動保護演算を行うことを特徴とする電流差動保護継電装置。
【発明の詳細な説明】
【技術分野】
【０００１】
本発明は、２端子以上の送電線を保護するために用いられる、休止端制御あるいは運用端制御機能を備える電流差動保護継電装置に関する。
【背景技術】
【０００２】
図６は、２端子送電線の電力系統に電流差動保護継電装置を適用した場合の構成図である。この電力系統は、背後電源８１Ａ、８１Ｂと、母線８２Ａ、８２Ｂと、遮断器（以下、ＣＢ）８３Ａ、８３Ｂと、送電線８６から構成される。電力系統には、変流器（以下、ＣＴ）８４Ａ、８４Ｂと、電流差動保護継電装置８５Ａ、８５Ｂとが設置されており、電流差動保護継電装置８５Ａ、８５Ｂは伝送路８７により接続されている。また図６は、事故点８８において系統事故が発生した場合を示している。
【０００３】
本来、２つのＣＢを挟むようにＣＴを設置し、そのＣＴ検出結果に基づいて電流差動保護継電装置がＣＢに開極指令を出力することで、系統事故を盲点なく検出・除去できるが、実際の電力系統では、系統設備の物理的制約あるいは経済的制約により、図６のようにＣＢ８３ＡとＣＴ８４Ａの配置が逆転した系統構成となる場合がある。ＣＢ８３ＡとＣＴ８４Ａとの間は系統保護上の盲点となり、この間の事故点８８で発生した系統事故は、電流差動保護継電装置８５Ａ、８５Ｂで検出できず、事故が除去されないという問題があった。
【０００４】
この問題点を解決する方法として、零制御方式が考えられており、以下に説明する。事故点８８で系統事故が発生したことを、母線８２Ａを保護する図示しない母線保護継電装置が検出した後、ＣＢ８３Ａに開極指令を出力し、開極指令を受信したＣＢ８３Ａが開極することで、母線８２Ａは保護される。しかし、ＣＢ８３Ｂには開極指令が出力されないため、背後電源８１Ｂから事故点８８へ事故電流が流れ続けている。
【０００５】
この時、ＣＢ８３Ａが開極されていることを電流差動保護継電装置８５Ａが検出して、ＣＴ８４Ａにおいて検出される電流データを零制御することで、ＣＴ８４ＡとＣＴ８４Ｂで検出される両電流データとの間に差動電流が発生し、電流差動保護継電装置８５Ｂが事故を検出した後、ＣＢ８３Ｂに開極指令を出力することで、ＣＢ８３Ｂが開極し、送電線８６を保護している。
【０００６】
また、このような系統事故発生等の条件で例えばＣＢ８３Ａが開放した状態から投入する場合、ＣＢ８３Ａの主接点（実際の送電線８６を連系するための接点）が閉路した場合、相手端のＣＢ８３Ｂが閉路状態であれば、その瞬間から送電線に潮流が流れる。
【０００７】
しかし、電流差動保護継電装置８５Ａには、ＣＢ８３Ａの主接点と連動する補助接点の入切の状態を示す信号を相手端に伝送しているため、ＣＢ８３Ａの主接点と補助接点の応動時間差、電流差動保護継電装置８５Ｂの入力回路の応答時間、電流差動保護継電装置８５Ｂへの伝送処理時間、電流差動保護継電装置８５Ｂでの休止検出処理時間等が必要であり、合計では数十ミリ程度の応答遅れが生じる。
【０００８】
この応答遅れの間は送電線８６には潮流が流れているが、電流差動保護継電装置８５ＢではＣＴ８４Ａで検出される電流データの零制御が継続されており、ＣＴ８４ＡとＣＴ８４Ｂで検出される両電流データの間に差動電流が発生し、潮流の大きさによっては送電線内部事故と誤認するという問題点があった。
【０００９】
この問題を解決する方法として、特許文献１に示す方法が考えられており、以下に図７及び図８を用いて説明する。
【００１０】
図７は、電流差動保護継電装置に具備された、自端休止又は運用状態を相手に送信するための自端制御データ送信回路６０を示している。自端制御データ送信回路６０は、オア回路６６〜６８とアンド回路６９〜６１１にて構成されている。
【００１１】
この自端制御データ送信回路６０は、自端ＣＢ入り信号６１〜６３、自端ＬＳ入り信号６４、自端ＣＢ投入信号６５を入力とし、これら入力に基づき自端ＣＢＬＳ信号６１３〜６１５を出力する。送信回路６１２は、自端制御データ送信回路６０から出力された自端ＣＢＬＳ信号６１３〜６１５を自端ＣＢＬＳ条件として伝送路８７を介して相手端子（相手の電流差動保護継電装置）へ出力する。これにより、上述した応答遅れの影響を防ぐことができる。
【００１２】
ここで、自端ＣＢ入り信号６１〜６３は、自端に設置されたＣＢの入切の状態を示し、各相の自端ＣＢが閉路されている際に自端制御データ送信回路６０の対応するオア回路６６〜６８に夫々入力される信号である。自端ＬＳ入り信号６４は、自端に設置された線路ＬＳの入切の状態を示し、３相一括ＬＳが閉路されている際に自端制御データ送信回路６０のアンド回路６９〜６１１に夫々に入力される信号である。
【００１３】
自端ＣＢ投入信号６５は、自端に設置されたＣＢへの投入指令を示し、自端に設置されたＣＢに対する投入指令が出された際に自端制御データ送信回路のオア回路６６〜６８に夫々入力される信号である。
【００１４】
図８は、電流差動保護継電装置に具備された、相手端の休止又は運用状態を検出する休止端検出回路７０を示している。ここで、相手端の電流差動保護継電装置には上述した自端制御データ送信回路６１２が具備されている。
【００１５】
この休止端検出回路７０は、オア回路７２、インヒビット回路７４、７５、アンド回路７６、７８、オンディレイタイマ７７、７９、フリップフロップ回路（以下、Ｆ／Ｆ回路）７１０から構成される。休止端検出回路７０は、伝送路８７を介して相手端のＣＢＬＳ条件を受信する受信回路７１からの各相の相手端ＣＢＬＳ信号７１４〜７１６と、受信信号の異常を検出した場合に出力される受信信号異常信号７３とを入力とし、これら入力に基づき相手端が休止状態にあるか否かを示す相手端休止信号７１１と、相手端電流データを零制御するか否かを示す相手端電流データ零制御信号７１２とを出力する。
【００１６】
インヒビット回路７４に受信信号異常信号７３が出力されておらず、オア回路７２に各相の相手端ＣＢＬＳ信号がいずれも出力されていない場合は、アンド回路７６にてアンド条件が成立し、オンディレイタイマ７７で事前に設定された時間の後、Ｆ／Ｆ回路７１０のセット側入力が成立し、Ｆ／Ｆ回路７１０が相手端休止信号７１１を相手端からの伝送データを制御する制御部７１７に出力するとともに相手端電流データ零制御信号７１２を演算部７１３に出力する。
【００１７】
同様に、インヒビット回路７４に受信信号異常信号７３が出力されておらず、オア回路７２に各相の相手端ＣＢＬＳ信号のいずれかが出力され、オア条件が成立している場合は、アンド回路７８にてアンド条件が成立し、オンディレイタイマ７９で事前に設定された時間の後、Ｆ／Ｆ回路７１０のリセット側入力が成立し、相手端休止信号７１１の出力を解除するとともに相手端電流データ零制御信号７１２の演算部７１３への出力を解除する。
【００１８】
上記に説明した処置により相手端の電流差動保護継電装置から受信したＣＢＬＳ条件で相手端休止又は運用の判定を行うとともに休止と判定した場合には、相手端子の電流データを零制御して電流差動保護演算を演算部７１３にて行っている。
【先行技術文献】
【特許文献】
【００１９】
【特許文献１】特開平７−３３６８７４号公報
【発明の概要】
【発明が解決しようとする課題】
【００２０】
従来の電流差動保護継電装置における休止端検出回路が抱える課題について以下説明する。
【００２１】
図７の自端ＣＢ投入信号６５は、自端ＣＢを投入するための全条件を含めておく必要があるため、電流差動保護継電装置自身が有する投入指令出力に加えて、電流差動保護継電装置の動作を外部から制御する制御装置から出力されるＣＢの手動投入出力も必要となる。手動投入指令を受けるためには制御装置と電流差動保護継電装置との受渡し回路６１６が必要であるが、この受渡し回路６１６は信号の受渡しが高速で行われる補助リレーを用いた大型の回路が必要であるため、保護リレー装置の構成を簡素化するための障害の一つとなっているという課題がある。
【００２２】
本発明は上記課題を解決するためになされたものであり、自端ＣＢ投入信号を入力するための受渡し回路６１６を付加せず、構成簡素化すると共に、上述した応答遅れの間には相手端電流の零制御を行わず、系統状態に見合った電流差動保護演算を行う電流差動保護継電装置を提供することを目的としている。
【課題を解決するための手段】
【００２３】
本発明の電流差動保護継電装置は、送電線の相手端に設置された電流差動保護継電装置から伝送され、相手端に設置された遮断器又は断路器の状態を示す相手端ＣＢＬＳ信号を受信する受信回路と、前記相手端ＣＢＬＳ信号に基づいて、相手端が休止状態であると判断された場合に、相手端の電流データを零制御する相手端電流データ零制御信号を、１ショット回路を介して演算部に出力する休止端検出回路とを備え、前記１ショット回路は、前記相手端電流データ零制御信号を、前記演算部に事前に設定された一定時間出力を継続し、前記演算部は前記１ショット回路が出力を継続する間に電流差動保護演算を行うことを特徴とする。
【発明の効果】
【００２４】
本発明によると、自端ＣＢ投入信号を入力するための受渡し回路を付加せず、構成簡素化すると共に、応答遅れの間には相手端電流の零制御を行わず、系統状態に見合った電流差動保護演算を行う電流差動保護継電装置を提供することができる。
【図面の簡単な説明】
【００２５】
【図１】本発明の実施形態１における自端制御データ送信回路の構成を示す図。
【図２】本発明の実施形態１における休止端検出回路の構成を示す図。
【図３】本発明の実施形態２における休止端検出回路の構成を示す図。
【図４】本発明の実施形態３における自端制御データ送信回路の構成を示す図。
【図５】本発明の実施形態３における休止端検出回路の構成を示す図。
【図６】２端子系統におけるシステム構成を示す図。
【図７】従来の電流差動保護継電装置における自端制御データ送信回路の構成を示す図。
【図８】従来の電流差動保護継電装置における休止端検出回路の構成を示す図。
【発明を実施するための形態】
【００２６】
以下に、本発明に係る電流差動保護継電装置の実施形態について、図面を参照して説明する。
【００２７】
（実施形態１）
本発明に係る電流差動保護継電装置の実施形態１について、図１及び図２を用いて説明する。従来の電流差動保護継電装置と同一の構成には同一の符号を付し、説明は省略する。
【００２８】
本実施形態１の自端制御データ送信回路６０の回路構成図を図１、休止端検出回路７０の回路構成図を図２に示す。図７、８に示す従来の電流差動保護継電装置と本実施形態１が異なる点は、自端制御データ送信回路６０において、自端ＣＢ投入信号６５の入力を行わず、且つオア回路６６〜６８を廃し、休止端検出回路７０において、１ショット回路２１を備えた点である。この休止端検出回路７０は、相手端休止信号７１１を出力した場合に、この信号出力時点から１ショット回路２１が出力を継続する期間だけ相手端電流データ零制御信号７１２を演算部７１３に出力し、演算部７１３が電流差動保護演算を行う。
【００２９】
上記のように構成された本実施形態１の電流差動保護継電装置の作用について、図１、２、６を用いて説明する。ここでは、本実施形態１の電流差動保護継電装置が図６に示す電力系統の両端に設置され、系統事故のない系統正常時と事故点８８に事故が発生した時の、Ａ端に設置された電流差動保護継電装置８５Ａの自端制御データ送信回路６０とＢ端に設置された電流差動保護継電装置８５Ｂの休止端検出回路７０の動作を説明する。
【００３０】
伝送異常及び系統事故がない系統正常時では、Ａ端に設置された電流差動保護継電装置８５Ａの自端制御データ送信回路６０は、入力される自端ＣＢ入り信号６１〜６３と自端ＬＳ入り信号６４に基づき自端ＣＢＬＳ信号６１３〜６１５を生成し、送信回路６１２に出力する。送信回路６１２はＢ端に設置された電流差動保護継電装置８５Ｂの受信回路７１に伝送路８７を介して自端ＣＢＬＳ信号６１３〜６１５を送信する。
【００３１】
Ｂ端の受信回路７１はＡ端の自端ＣＢＬＳ信号６１３〜６１５を相手端ＣＢＬＳ信号７１４〜７１６として受信し、休止端検出回路７０に相手端ＣＢＬＳ信号７１４〜７１６を出力する。このとき、受信信号異常信号７３が出力されておらず、受信回路７１からの相手端ＣＢＬＳ信号が出力されることからアンド回路７８にてアンド条件が成立し、オンディレイタイマ７９を介して、Ｆ／Ｆ回路７１０のリセット側に入力されるため、相手端休止信号７１１及び相手端電流データ零制御信号７１２を出力しない。
【００３２】
次に、伝送異常がなく、図６に示す事故点８８において系統事故が発生した際の、Ａ端ＣＢ開極時にＡ端電流が零制御された後、Ｂ端ＣＢが開極するＣＢ遮断の場合と、Ｂ端ＣＢ閉路時にＡ端ＣＢを投入するＣＢ投入の場合とに分けて説明する。
【００３３】
（Ｂ端ＣＢ遮断の動作）
図６に示す事故点８８にて系統事故が発生すると、母線８２Ａを保護する母線保護継電装置によりＡ端に設置されたＣＢ８３Ａが開極する。このとき、図１に示す自端ＣＢ入り信号６１〜６３が出力されないため、アンド回路６９〜６１１にて自端ＬＳ入り信号６４とのアンド条件が成立しないため、自端ＣＢＬＳ信号６１３〜６１５が送信回路６１２に出力されず、送信回路６１２からＢ端に設置された電流差動保護継電装置の受信回路７１に自端ＣＢＬＳ信号６１３〜６１５を出力しない。
【００３４】
図２に示すＢ端に設置された電流差動保護継電装置の受信回路７１は、Ａ端の自端ＣＢＬＳ信号６１３〜６１５を相手端ＣＢＬＳ信号７１４〜７１６として受信せず、受信回路は、相手端ＣＢＬＳ信号７１４〜７１６を出力しない。このとき、受信信号異常信号７３が出力されていないため、アンド回路７６にてアンド条件が成立し、オンディレイタイマ７７を介して、Ｆ／Ｆ回路７１０のセット側に入力されるため、Ｆ／Ｆ回路７１０から出力信号が出力される。Ｆ／Ｆ回路７１０から出力される出力信号は、制御部７１７と１ショット回路２１に出力される。ここで、Ｆ／Ｆ回路７１０から出力される出力信号は、制御部７１７に対しては相手端休止信号７１１として出力され、１ショット回路２１に対してはＡ端電流を零制御する相手端電流データ零制御信号７１２として出力される。
【００３５】
Ｆ／Ｆ回路７１０から１ショット回路２１に出力される相手端電流データ零制御信号７１２は、１ショット回路２１が出力を継続する期間（例えば、１sec程度）だけ演算部７１３に出力される。演算部７１３は、１ショット回路２１が相手端電流データ零制御信号７１２の出力を継続する期間に電流差動保護演算を行うことで、Ａ端電流とＢ端電流で差動電流が発生していることを検出し、Ｂ端ＣＢに対して開極指令を出力する。１ショット回路２１の出力継続期間経過後は、Ａ端の電流データを有効として演算部７１３にて電流差動保護演算を行う。
【００３６】
（Ｂ端ＣＢ投入の動作）
上述した系統事故及び伝送異常がない系統正常時と同様の動作を行うため、説明は省略する。また、Ａ端ＣＢ投入の際、従来の電流差動保護継電装置のようにＣＢ投入信号を自端制御データ送信回路６０に付加していないため、ＣＢ主接点の閉路タイミングに対してＢ端でのＡ端休止検出を解除するタイミングが数十ｍｓ遅延するが、Ａ端の電流データの零制御信号の出力は、１ショット時間が十分経過しているため無効となっており、電流差動保護演算はＡ端、Ｂ端の両端子の電流データを有効として実施される。
【００３７】
本実施形態１によれば、相手端休止を検出した際の相手端電流データを零制御する期間を、休止検出後の１ショット期間に限定して行うようにしたことで、自端ＣＢ投入信号を入力するための受渡し回路を付加せず、相手端ＣＢを投入する時点でも、応答遅れの間には相手端電流の零制御を行わず、系統状態に見合った電流差動保護演算を実施する電流差動保護継電装置を提供することが可能となる。
【００３８】
（実施形態２）
本発明に係る電流差動保護継電装置の実施形態２について、図３を用いて説明する。実施形態１と同一の構成には同一の符号を付し、説明は省略する。
【００３９】
本実施形態２が実施形態１と異なる点は、休止端検出回路７０の１ショット回路２１の代わりに、出力保持回路としてＦ／Ｆ回路３１を設置し、外部制御信号３２の出力によるＦ／Ｆ回路リセット条件を設けた点である。出力保持回路は、入力された信号を受けてから、リセット条件が成立するまでの間、出力を保持する機能を持つ。
【００４０】
上記のように構成した本実施形態２の電流差動保護継電装置の休止端検出回路について図３を参照して説明する。Ｆ／Ｆ回路７１０にて相手端休止信号７１１と相手端電流データ零制御信号７１２を出力する動作は実施形態１と同様であるため、Ｆ／Ｆ回路７１０以前の説明は省略する。
【００４１】
事故が発生した場合、Ｆ／Ｆ回路７１０からの相手端電流データ零制御信号７１２がＦ／Ｆ回路３１のセット側に入力され、Ｆ／Ｆ回路３１が相手端電流データ零制御信号７１２を演算部７１３に出力する。この演算部７１３がＦ／Ｆ回路３１が出力している間に電流差動保護演算を行うことで、自端と相手端の電流値の間に差動電流が発生したことを検出し、自端に設置されたＣＢを遮断する。
【００４２】
その後は、外部制御信号３２がＦ／Ｆ回路３１に出力されることで、Ｆ／Ｆ回路３１から演算部７１３に対する電流データ零制御信号７１２の出力がリセットされるため、ＣＢ投入時にも電流差動保護演算はＡ端、Ｂ端の両端子の電流データを有効として実施される。
【００４３】
ここで、外部制御信号３２のＦ／Ｆ回路３１への入力は、例えば、操作者によるスイッチ操作に応じて行う場合、或いは、操作者が画面設定により予め設定された入力タイミングに応じて行う場合等、人間系操作に基づいて行われる。
【００４４】
本実施形態２によれば、相手端休止を検出した際の相手端電流データを零制御する期間を、人間系操作による外部制御信号による制御を実施するとしたため、ＣＢ点検や電流差動保護継電装置試験等を行う場合にも、外部制御信号が入力されるまで零制御が維持されるため、ＣＢに不要動作信号を出力しない電流差動保護継電装置を提供することが可能となる。
【００４５】
（実施形態３）
本発明に係る電流差動保護継電装置の実施形態３について、図４及び図５を用いて説明する。実施形態１と同一の構成には同一の符号を付し、説明は省略する。
【００４６】
本実施形態３が実施形態１と異なる点は、図４の自端制御データ送信回路６０においてオア回路４１を追加し、このオア回路４１からの自端ＣＢＬＳ入り信号４２を出力する点と、図５の休止端検出回路７０において、自端ＣＢＬＳ入り信号４２と自端再閉路信号又は自端再閉路起動信号５４とを入力すること、オフディレイタイマ５１、Ｆ／Ｆ回路５２、インヒビット回路５３、オア回路５５及びアンド回路５６を追加した点である。
【００４７】
自端制御データ送信回路６０では、３相の自端ＣＢＬＳ信号６１３〜６１５のオア回路４１を設けることにより、各相の自端ＣＢＬＳ信号６１３〜６１５のいずれかが出力された際、自端ＣＢＬＳ入り信号４２を出力する。休止検出回路７０では、１ショット回路２１の出力にオフディレイタイマ５１を付加してＦ／Ｆ回路５２のセット側入力とし、１ショット回路２１の出力がない場合に、受信回路からの各相の相手端ＣＢＬＳ信号７１４〜７１６のいずれかが出力されている場合か、もしくは自端ＣＢＬＳ入り信号４２が出力されている場合か、もしくは自端再閉路信号又は自端再閉路起動信号５４が出力されている場合か、の３条件の内いずれかが成立したことをＦ／Ｆ回路５２のリセット側に入力し、このＦ／Ｆ回路５２の出力が継続する期間だけ相手端電流データ零制御信号７１２を有効として、演算部７１３にて電流差動保護演算を行うように構成している。
【００４８】
上記のように構成された本実施形態３の電流差動保護継電装置が図６に示す電力系統に導入された場合の作用について、図４、５を用いて説明する。１ショット回路２１にて相手端電流データ零制御信号７１２を出力する動作は実施形態１と同様であるため、１ショット回路２１以前の説明は省略する。
【００４９】
図６に示す事故点８８に系統事故が発生した場合は、１ショット回路２１の出力がオフディレイタイマ５１を介してＦ／Ｆ回路５２のセット側に入力され、相手端電流データ零制御信号７１２を演算部７１３に出力する。Ｆ／Ｆ回路５２が相手端電流データ零制御信号７１２を出力している間に演算部７１３が電流差動保護演算を行うことで、自端と相手端の電流値の間に差動電流が発生したことを検出し、自端に設置されたＣＢを遮断する。
【００５０】
次に、ＣＢ手動投入の場合と、自動高速度再閉路の場合とに分けて本実施形態２の電流差動保護継電装置の動作について説明する。
【００５１】
（ＣＢ手動投入の動作）
先ず、Ｂ端ＣＢ８３Ｂが先行投入された状態で、Ａ端ＣＢ８３Ａが手動投入される場合を説明する。Ｂ端のＣＢ８３Ｂが投入されると、Ｂ端の自端制御データ送信回路６０に自端ＣＢ信号６１〜６３及び自端ＬＳ入り信号６４が入力され、自端ＣＢＬＳ入り信号４２と自端ＣＢＬＳ信号６１３〜６１５を出力する。自端ＣＢＬＳ信号６１３〜６１５は送信回路６１２に入力され、Ａ端の受信回路７１に送信される。
【００５２】
Ｂ端の自端ＣＢＬＳ信号６１３〜６１５は、Ａ端の受信回路７１によって相手端ＣＢＬＳ信号７１４〜７１６として受信され、受信回路７１からの相手端ＣＢＬＳ信号７１４〜７１６がオア回路７２、５５及びアンド回路５６を介してＦ／Ｆ回路５２のリセット側に入力されており、相手端データ零制御７１２の出力が解除されているため、自端ＣＢ投入時点での電流差動保護演算は系統状態に見合った入力により演算部７１３にて演算される。
【００５３】
次に、Ｂ端ＣＢ８３Ｂが投入されておらず、Ａ端ＣＢ８３Ａが先行投入する場合を説明する。Ａ端ＣＢ８３Ａ投入時点では、Ｂ端ＣＢ８３Ｂが未投入状態であるためＢ端の自端制御データ送信回路６０に自端ＣＢ信号６１〜６３及び自端ＬＳ入り信号が入力されず、自端ＣＢＬＳ入り信号４２と自端ＣＢＬＳ信号６１３〜６１５は出力されない。Ａ端の受信回路７１にも相手端ＣＢＬＳ信号７１４〜７１６として受信されていないため、受信回路７１から相手端ＣＢＬＳ信号７１４〜７１６がオア回路７２、５５及びアンド回路５６を介してＦ／Ｆ回路５２のリセット側に入力されず、相手端電流データ零制御信号７１２は保持しているが、自端ＣＢ投入の時点では送電線に潮流は流れないため、相手端電流を零として電流差動保護演算が行われても、系統状態に見合った電流差動保護演算が演算部７１３にて行われることになる。
【００５４】
（自動高速度再閉路の動作）
Ａ端ＣＢ８３ＡとＢ端ＣＢ８３Ｂの両方が開極されている状態で、事故点アークが消滅するまでの一定時間を待ち、Ａ端、Ｂ端の両端ＣＢが同時に投入される自動高速度再閉路の場合、Ａ端、Ｂ端の両端の休止検出回路７０において、自動再閉路指令又は自動再閉路起動信号条件５４がオア回路５５とアンド回路５６を介してＦ／Ｆ回路５２のリセット側に入力されており、ＣＢが投入される前に相手端電流データ零制御信号７１２の出力が解除されているため、自端ＣＢ投入時点では応答遅れの間には相手端電流の零制御を行わず、系統状態に見合った電流差動保護演算を実施する電流差動保護継電装置を提供することが可能となる。
【００５５】
本実施形態３によると、実施形態２の効果に加え、人間系操作による外部制御信号の出力が必要なく、自動的に零制御が解除されるため、作業員の負担が少ない電流差動保護継電装置を提供することが出来る。
【符号の説明】
【００５６】
２１…１ショット回路
５１…オフディレイタイマ
７１０、３１、５２…フリップフロップ回路（Ｆ／Ｆ回路）
６０…自端制御データ送信回路
６１…自端ＣＢ信号（Ａ相）
６２…自端ＣＢ信号（Ｂ相）
６３…自端ＣＢ信号（Ｃ相）
６４…自端ＬＳ入り信号
６５…自端ＣＢ投入信号
６６、６７、６８、７２…オア回路
６９、６１０、６１１、５６、７６、７８…アンド回路
６１２…送信回路
６１３…自端ＣＢＬＳ信号（Ａ相）
６１４…自端ＣＢＬＳ信号（Ｂ相）
６１５…自端ＣＢＬＳ信号（Ｃ相）
６１６…受渡し回路
７０…休止端検出回路
７１…受信回路
７３…伝送信号異常信号
７４、７５、５３…インヒビット回路
７７、７９…オンディレイタイマ
７１１…相手端休止検出信号
７１２…相手端電流データ零制御信号
７１３…演算部
７１４…相手端ＣＢＬＳ信号（Ａ相）
７１５…相手端ＣＢＬＳ信号（Ｂ相）
７１６…相手端ＣＢＬＳ信号（Ｃ相）
７１７…制御部
８１Ａ、８１Ｂ…背後電源
８２Ａ、８２Ｂ…母線（ＢＵＳ）
８３Ａ、８３Ｂ…遮断器（ＣＢ）
８４Ａ、８４Ｂ…変流器（ＣＴ）
８５Ａ、８５Ｂ…電流差動保護継電装置
８６…送電線
８７…伝送路
８８…事故点
【図１】
2011193608.tif 000003
【図２】
2011193608.tif 000004
【図３】
2011193608.tif 000005
【図４】
2011193608.tif 000006
【図５】
2011193608.tif 000007
【図６】
2011193608.tif 000008
【図７】
2011193608.tif 000009
【図８】
2011193608.tif 000010